(57)【要約】【課題】レート変換処理を伴うダビング処理のためにリムーバブルな記録媒体がドライブを占有する時間を減少し、ユーザの体感するダビング処理の実行時間を減少させることができる記録装置を提供する。  【解決手段】ＨＤＤ７に記録されているダビング指定の番組の符号化データを、本装置が使用されていない空き時間を用いて、ＭＰＥＧデコーダ１０で復号し、それをＭＰＥＧエンコーダ５で符号レートを変換して再符号化して、生成した再符号化データをＨＤＤ７に記録する。再符号化データの生成終了後、ユーザ操作によるダビング開始指示が入力されると、ＨＤＤ７に記録された再符号化データをＤＶＤ９に記録する。  【選択図】図１
2007243414.tif 000002
【特許請求の範囲】
【請求項１】
映像信号および音声信号が圧縮符号化された符号化データを本装置内に固定の第１の記録媒体に記録する第１の記録手段と、
前記符号化データをリムーバブルな第２の記録媒体に記録する第２の記録手段と、
前記第１の記録媒体に記録された前記符号化データの符号化レートを変換して再符号化データを生成する再符号化手段と、
本装置が使用されない空き時間を用いて、前記第１の記録媒体に記録された前記符号化データのうちユーザ操作によりダビング指定されたダビング処理対象の符号化データについて、前記再符号化手段に前記再符号化データを生成させ、生成された前記再符号化データを前記第１の記録手段により前記第１の記録媒体に記録させ、前記第１の記録媒体に記録された前記再符号化データをユーザ操作によるダビング開始指示に応じたタイミングで前記第２の記録手段により前記第２の記録媒体に記録させるように制御する制御手段と
を備えることを特徴とする記録装置。
【発明の詳細な説明】
【技術分野】
【０００１】
本発明は、放送された番組等のデータを記録する記録装置に関する。
【背景技術】
【０００２】
放送された番組を記録するビデオテープレコーダは、一般的に普及し、その記録媒体は、より大きな容量を有するディスク型へとかわりつつある。従来から、２台のビデオテープレコーダを接続し、一方に記憶されているデータを他方の記録媒体にコピー（ダビング）するといったことが行われていた。
【０００３】
また、ビデオテープレコーダは、予めユーザが設定した時刻に録画を開始し、設定された時刻に録画を終了するといった、いわゆる録画予約機能を有していた。このようなダビングや録画予約機能は、使い勝手が良くなり、ユーザは、よりこれらの機能を使うようになってきている。
【０００４】
近年、記録媒体の変化とともに、その記録方式も変化しつつある。すなわち、アナログで記録再生を行っていたのが、ＭＰＥＧ−２（Moving Picture Experts Group Phase 2）等の符号化技術を用い、デジタルで記録再生を行うようになってきている。
【０００５】
さらに、ＨＤＤ（Hard Disk Drive）のような大容量記録媒体と、ＤＶＤ（Digital Versatile Disc）のようなディスクメディアとを持つ記録装置が増えてきており、番組を一時的にＨＤＤへデジタル録画し、その後保存したい番組のみをＤＶＤ等のリムーバブルメディアにダビングして保存するという使用方法が一般的になってきている。また、大容量記録媒体からリムーバブルメディアにダビングする際に、記録先のリムーバブルメディアの容量に合わせて符号化レートを変換し、ダビングする機能を持つ記録装置が一般的になってきている。
【０００６】
ところで、符号化レートの変換を伴う大容量記録媒体からリムーバブルメディアへのダビング処理には、長時間かかる場合がある。そこで、このダビング処理と予約録画とが重ならないように、予約録画とダビング処理の実行時間を調べ、どちらも完全に行われるように調整する技術が特許文献１に開示されている。
【特許文献１】特開２００４−４０３３５号公報
【発明の開示】
【発明が解決しようとする課題】
【０００７】
従来の記録装置でも、大容量記録媒体からリムーバブルメディアへのダビング処理は可能であった。
【０００８】
しかし、特に高解像度の動画において、符号化レートの変換を伴うダビングでは、動画の復号、再符号化の処理に時間がかかる。このため、結果として符号化レート変換を伴わないダビングに比べて、処理に長い時間が必要となり、リムーバブルメディアがドライブを占有する時間が長くなるという問題があった。
【０００９】
そして、ユーザにとっては、リムーバブルメディアを記録装置にセットし、ダビング操作を行ってから、長時間ダビング処理の終了を待たなければならず、不便なものとなっていた。
【００１０】
本発明は上記に鑑みてなされたもので、符号化レート変換を伴うダビング処理のためにリムーバブルな記録媒体がドライブを占有する時間を減少し、ユーザの体感するダビング処理の実行時間を減少させることができる記録装置を提供することを目的とする。
【課題を解決するための手段】
【００１１】
本発明の記録装置は、映像信号および音声信号が圧縮符号化された符号化データを本装置内に固定の第１の記録媒体に記録する第１の記録手段と、前記符号化データをリムーバブルな第２の記録媒体に記録する第２の記録手段と、前記第１の記録媒体に記録された前記符号化データの符号化レートを変換して再符号化データを生成する再符号化手段と、本装置が使用されない空き時間を用いて、前記第１の記録媒体に記録された前記符号化データのうちユーザ操作によりダビング指定されたダビング処理対象の符号化データについて、前記再符号化手段に前記再符号化データを生成させ、生成された前記再符号化データを前記第１の記録手段により前記第１の記録媒体に記録させ、前記第１の記録媒体に記録された前記再符号化データをユーザ操作によるダビング開始指示に応じたタイミングで前記第２の記録手段により前記第２の記録媒体に記録させるように制御する制御手段とを備えることを特徴とする。
【発明の効果】
【００１２】
本発明の記録装置は、本装置が使用されない空き時間を用いて、本装置内に固定の第１の記録媒体に記録された符号化データの符号化レートを変換して再符号化データを生成し、生成された再符号化データを第１の記録媒体に記録し、第１の記録媒体に記録された再符号化データをユーザ操作によるダビング開始指示に応じたタイミングでリムーバブルな第２の記録媒体に記録するので、符号化レート変換を伴うダビング処理の際に、第２の記録媒体がドライブを占有する時間を減少し、ユーザの体感するダビング処理時間を減少させることができる。
【発明を実施するための最良の形態】
【００１３】
以下、本発明の記録装置を実施するための最良の形態について、図面を参照して説明する。本実施の形態に係る記録装置は、テレビ放送に代表される番組データを記録、再生するものである。
【００１４】
図１は本発明の一実施の形態に係る記録装置の構成を示すブロック図である。図１に示すように本実施の形態の記録装置は、放送信号から指定チャンネルのデータを取り出すチューナ１と、外部から映像信号および音声信号を入力するための外部入力部２と、入力された映像信号をデジタル信号に変換するビデオデコーダ３と、入力された音声信号をデジタル信号に変換するオーディオＡ／Ｄ変換部４と、デジタル映像信号およびデジタル音声信号を圧縮符号化して符号化データを生成するＭＰＥＧエンコーダ５と、ＭＰＥＧエンコーダ５で生成された符号化データを記録するＨＤＤ７と、ＭＰＥＧエンコーダ５で生成された符号化データをＤＶＤ９に記録するＤＶＤドライブ８と、ＨＤＤ７およびＤＶＤドライブ８の動作を管理するディスクコントローラ６と、ＭＰＥＧエンコーダ５で圧縮符号化されたデジタル信号を復号するＭＰＥＧデコーダ１０と、ＭＰＥＧデコーダ１０で復号されたデジタル映像信号をアナログ映像信号に変換するビデオエンコーダ１１と、ＭＰＥＧデコーダ１０で復号されたデジタル音声信号をアナログ音声信号に変換するオーディオＤ／Ａ変換部１２と、オーディオＤ／Ａ変換部１２で生成されたアナログ映像信号を外部に出力するビデオ出力部１３と、オーディオＤ／Ａ変換部１２で生成されたアナログ音声信号を外部に出力するオーディオ出力部１４と、装置に設けられた各部を制御する制御部１５とを備える。
【００１５】
次に、本実施の形態に係る記録装置の動作を説明する。
【００１６】
記録時は、制御部１５の制御の下、チューナ１または外部入力部２から映像信号がビデオデコーダ３に入力されてデジタル音声信号に変換され、音声信号がオーディオＡ／Ｄ変換部４に入力されてデジタル音声信号に変換される。なお、外部入力部２は、例えばビデオカセットドライブ等により構成される。
【００１７】
そして、デジタル映像信号およびデジタル音声信号はＭＰＥＧエンコーダ５に供給され、ここで圧縮符号化され、符号化データが生成される。この符号化データはディスクコントローラ６に供給され、ここからＨＤＤ７またはＤＶＤドライブ８に供給され、ＨＤＤ７またはＤＶＤ９に記録される。
【００１８】
また、制御部１５は、ＨＤＤ７に記録した番組について、番組リストを生成し、この番組リストをＨＤＤ７に格納する。ここで、番組リストは、図２に示すように、ＨＤＤ７に記録した番組の記録レート、解像度、番組タイトル、ダビング指定の有無等を記載したものである。また、ユーザは、入力部（図示せず）を操作することにより録画予約を設定できるものとする。そして、制御部１５は、録画予約の設定指示が入力部から入力されると、図３に示すような、録画予約状況が記載された番組録画予約情報テーブルを生成し、これをＨＤＤ７に格納する。
【００１９】
再生時は、制御部１５の制御の下、ＨＤＤ７またはＤＶＤ９よりディスクコントローラ６に読み出された符号化データはＭＰＥＧデコーダ１０に供給され、ここで復号される。復号されたデジタル映像信号はビデオエンコーダ１１でアナログ映像信号に変換された後、ビデオ出力部１３に出力され外部に出力される。また、復号されたデジタル音声信号はオーディオＤ／Ａ変換部１２でアナログ音声信号に変換された後、オーディオ出力部１４に出力され外部に出力される。
【００２０】
次に、ＨＤＤ７からＤＶＤ９にダビングする際の記録装置の動作について説明する。
【００２１】
符号化レートの変換を伴わないダビングの場合は、ダビングに特殊な処理は必要ない。この場合、ユーザ操作によるダビング指示が入力部（図示せず）から制御部１５に入力されると、制御部１５はディスクコントローラ６に制御信号を出力し、ＨＤＤ７に記録された符号化データを読み出してＤＶＤドライブ８に供給させ、ＤＶＤ９に記録させる。
【００２２】
符号化レートの変換を伴うダビングの場合、まず、ユーザは図２に示す番組リストを参照して、ダビング処理を行いたい番組を指定し、ダビング後の符号化レートや解像度等、ダビング処理に必要な情報を入力部（図示せず）に入力する。
【００２３】
ユーザ操作による入力部（図示せず）からの入力により、ダビングする番組、ダビング処理に必要な情報が入力されると、制御部１５は、指定されたそれぞれの番組について、ダビング元（ＨＤＤ７）およびダビング先（ＤＶＤ９）の解像度等に基づいて、符号化レート変換処理に必要な時間を予測する。
【００２４】
次に、制御部１５は、ＨＤＤ７に格納されている番組録画予約情報テーブルを参照し、先ほど予測した、ダビングする番組のレート変換処理に必要な時間分だけ記録装置が空いている時間帯を検索、取得し、レート変換処理を実行する時間帯を決定する。ここで、例えば番組Ａのレート変換処理に４時間かかると予測した場合、図３に示す番組録画予約情報テーブルにおいて、録画予約ａと録画予約ｂとの間（１０：００〜１３：００）では３時間しかなく時間が不足するので、これ以外の時間帯、例えば録画予約ｂと録画予約ｃとの間（１５：００〜２０：００）等に決定する。
【００２５】
その後、決定された実行時間帯において、制御部１５は、ＨＤＤ７に記録されたダビング予定の番組の符号化データをディスクコントローラ６に読み出させ、ＭＰＥＧデコーダ１０に供給させる。そして、制御部１５は、ＭＰＥＧデコーダ１０に符号化データを復号させ、復号された番組データをＭＰＥＧエンコーダ５に供給し、ダビング後の符号化レートで再符号化するように制御する。
【００２６】
そして、制御部１５は、ディスクコントローラ６に制御信号を出力し、ＭＰＥＧエンコーダ５で再符号化によって生成されたダビング用のイメージデータ（レート変換後のＭＰＥＧストリーム）を、ＨＤＤ７の空き領域に記録させる。
【００２７】
ダビング用のイメージデータの生成が完了したら、制御部１５は、図２に示す番組リストの「ダビング準備」欄に、ダビング準備が完了したことを記述する。ユーザはこれを参照することで、ダビング準備が完了した後の任意のタイミングでＤＶＤ９をＤＶＤドライブ８にセットし、ＨＤＤ７からＤＶＤ９へのダビング操作を行うことができる。この場合、ユーザ操作によるダビング開始指示が入力部（図示せず）から制御部１５に入力されると、制御部１５はディスクコントローラ６に制御信号を出力し、ＨＤＤ７に記録されたイメージデータを読み出してＤＶＤドライブ８に供給させ、ＤＶＤ９に記録させる。
【００２８】
このように、生成したイメージデータをＨＤＤ７からＤＶＤ９へコピーすることで、符号化レート変換を伴う番組のダビング処理を完了する。この時点で、ダビング処理において時間のかかる、復号・再符号化処理はすでに完了しており、記録装置によって行われる処理は、イメージデータのＨＤＤ７からＤＶＤ９へのコピーのみのため、ダビング処理は高速に行われる。
【００２９】
このように、本実施の形態の記録装置によれば、ＤＶＤ９へのダビング処理を実行する前に、記録装置を使用していない時間に、あらかじめＨＤＤ７に符号化レートを変換したデータを生成しておき、ユーザがＤＶＤ９を記録装置にセットしてダビング開始指示を入力したら、生成済みのイメージデータをコピーするだけでダビング処理を行うので、符号化レート変換を伴うダビング処理のためにＤＶＤ９がＤＶＤドライブ８を占有する時間を減少することができ、また、ユーザが体感するダビング処理の実行時間を減少させることができる。
【００３０】
また、符号化レートの変換処理に、より長時間かけても、ユーザの体感するダビング実行時間は変わらないため、精度の高い符号化レート変換処理方法を用いることで、ユーザの体感するダビング実行時間は据え置きながら、ダビング後の画質を向上させることができる。
【００３１】
さらに、レート変換処理に必要な時間を延ばしても、ユーザの感じるダビング時間に対する影響はないため、２パス・エンコーディング（２pass encoding）など、精度の高いレート変換処理を適用することで、ユーザの体感するダビング処理時間を延ばさずに、ダビング後の画質を向上させることが可能である。
【００３２】
なお、上記の例では、ダビングする番組の復号・再符号化処理を行うための十分な空き時間のある時間帯に、復号・再符号化処理を行うが、例えばユーザが一定時間（例えば１５分間）操作しなかった場合に、復号・再符号化処理を開始する等、記録装置を使用していない時間に、常に処理を行うようにしてもよい。
【００３３】
このようにした場合、途中でユーザの操作や予約録画が開始される可能性はあるが、その際には、復号・符号化処理をその時点で中断し、記録装置の空き時間ができたときに、中断されたところから再び復号・再符号化処理の続きを行うことで、上記の例よりも効率的に、レート変換処理を行うことが可能である。
【００３４】
また、上記の例では、圧縮符号化形式をＭＰＥＧ−２としているが、ＷＭＶ（Windows（登録商標） Media Video）やＭＰＥＧ−４  ＡＶＣ（Advanced Video Coding）などの圧縮符号化形式を用いた記録装置の場合、ＭＰＥＧ−２で復号・再符号化処理を行う記録装置より、処理に長い時間がかかることが予想される。その場合、上記ＭＰＥＧ−２を使用した例に比べ、より高い効果を得ることができる。また、同様の圧縮符号化形式を用いた場合でも、より精度の高い符号化レート変換方式を使用することで、ダビング後の画質を向上させることが可能である。
【００３５】
また、上記の例では、ＨＤＤからＤＶＤへのダビング処理を例としてあげているが、たとえば小型のカード型記録メディアや、ブルーレイ（Blu-ray）のような次世代メディアへのダビングの際にも、同じように適用することが可能である。
【図面の簡単な説明】
【００３６】
【図１】本発明の一実施の形態に係る記録装置の構成を示すブロック図である。
【図２】番組リストを示す図である。
【図３】番組録画予約情報テーブルを示す図である。
【符号の説明】
【００３７】
１    チューナ
２    外部入力部
３    ビデオデコーダ
４    オーディオＡ／Ｄ変換部
５    ＭＰＥＧエンコーダ
６    ディスクコントローラ
７    ＨＤＤ
８    ＤＶＤドライブ
９    ＤＶＤ
１０    ＭＰＥＧデコーダ
１１    ビデオエンコーダ
１２    オーディオＤ／Ａ変換部
１３    ビデオ出力部
１４    オーディオ出力部
【図１】
2007243414.tif 000003
【図２】
2007243414.tif 000004
【図３】
2007243414.tif 000005